(57)【特許請求の範囲】
【請求項１】
３本以上の支柱を下ベースから上方に延設させ、これら支柱で上下に貫通する配線孔を有する上ベースを支持し、さらに貫通孔を有する天板をこの上ベースで支持するとともに、前記下ベースに床方向から貫通する配線孔が設けられ、前記３本以上の支柱の支柱間を支柱カバーで覆った空間部として構成され、天板の貫通孔から上ベースの配線孔を通過した配線は、前記空間部に案内されて下ベースの配線孔を通過して配線されることを特徴とする配線装置付テーブル。
【請求項２】
前記天板の貫通孔には、着脱自在のトップカバーが嵌合されている請求項１に記載の配線装置付テーブル。
【請求項３】
前記トップカバーは、複数個に分割されており、別々に着脱可能になっている請求項２に記載の配線装置付テーブル。
【請求項４】
前記トップカバーには、少なくとも１つ以上のコンセントを収納可能な収納口が設けられている請求項２または３に記載の配線装置付テーブル。
【発明の詳細な説明】
【０００１】
【発明の属する技術分野】
本発明は、コード類を露出することなく、複数の人数で使用できる配線装置付テーブルに関する。
【０００２】
【従来の技術】
近年、オフィス等のオープン化を図り、コミュニケーションを活発化させるということが唱えられ始めているが、オフィスルームやパビリヨン等の展示会において比較的広い空間体を仕切り多目的のスペース、即ち来客とビジネストークするレセプションスペース、意見等を出し合うコラボレーションスペース、簡単な会合をするミーティングスペース、気分転換のためのリラックススペース或いは本や雑誌等が閲覧できるライブラリースペース等において、前記スペース等に一般に設置されているテーブルの構造は、組立の手間や費用の点からパイプ脚に天板が載置された一体型の組立式テーブルや天板が複数のポール状支柱に支持されたテーブルが従来から知られている。
【０００３】
【発明が解決しようとする課題】
しかしながら、上記した従来のテーブル構造においては、すでにテーブルの形状が定まっているために各種のコミュニケーションスペースにおいて、目的別の使用用途に合わせたテーブルの設置場所が限られることにより、オープン化によるコミュニケーションの効率上問題があるばかりでなく、スペースの美観を損なう恐れもある。またテーブル上にディスプレーやパソコン等が載置される場合、電源コード等の各種コード類がテーブルから床に設置された電気コンセントや通信アダプターにかけて剥き出し状態になっており、美観を損なうばかりか前記機器から配線が外れ易くなる可能性があり、安全性についても問題があった。
【０００４】
本発明は、上記問題点を解決するためになされたもので、配線を可能な限り露出させず、天板上に配線を取り出せるとともに容易にかつ軽量に構築できる配線装置付テーブルを提供することを目的としている。
【０００５】
【課題を解決するための手段】
上記目的を達成するために、本発明の配線装置付テーブルは、３本以上の支柱を下ベースから上方に延設させ、これら支柱で上下に貫通する配線孔を有する上ベースを支持し、さらに貫通孔を有する天板をこの上ベースで支持するとともに、前記下ベースに床方向から貫通する配線孔が設けられ、前記３本以上の支柱の支柱間を支柱カバーで覆った空間部として構成され、天板の貫通孔から上ベースの配線孔を通過した配線は、前記空間部に案内されて下ベースの配線孔を通過して配線されることを特徴としている。
この特徴によれば、複数の配線が前記の配線孔と貫通孔を上下に貫通して配線され、この上下に延びる配線が、前記支柱カバーによって覆われた３本以上の支柱から成る配線用の空間内に存在することになり、天板に設けられた貫通孔から下ベースまで一度も配線が外部から露出することがない。またテーブル脚が前記支柱と支柱カバーのみで構成されているため軽量なテーブルとなる。
【０００７】
上記配線装置付テーブル構造において、前記天板の貫通孔には、着脱自在のトップカバーが嵌合されているのが好ましい。
このようにすれば、トップカバーによって余分な配線を隠蔽できる。
【０００８】
上記配線装置付テーブル構造において、前記トップカバーは、複数個に分割されており、別々に着脱可能になっているのが好ましい。
このようにすれば、必要な部分のみのトップカバーを外すだけで配線のメンテナンスができる。
【０００９】
上記配線装置付テーブル構造において、前記トップカバーには、少なくとも１つ以上のコンセントを収納可能な収納口が設けられているのが好ましい。
このようにすれば、トップカバーの収納口に配線装置を収納することにより、可能な限り余分な配線が露出しないようにできる。
【００１０】
【発明の実施の形態】
以下、本発明の第1実施例を図面に基づいて説明する。
【００１１】
図１ないし図７に基づいて本発明の実施例を説明すると、まず図１は配線装置付テーブルの斜視図であり、図２の分解図に示された各種部材を組み立てた完成図である。前記テーブル１の天板２上に設置されたパソコン７の電源プラグ７ａが天板２上に設けられたコンセント９に差し込めるようになっており、常時パソコン７に電源を供給できる。また椅子６等を利用することにより各種作業を行えるスペースが提供されている。
【００１２】
図２は本発明の分解図を示しており、前記テーブル１は、４本の支柱４の下端を支持する下ベース３と、前記４本の支柱４とで支持される上ベース１１と、上ベース１１で支持される天板２と、天板２の中央に設けられた天板貫通を閉塞するトップカバー８と、前記下ベース３と上ベース１１間に設けられる前記４本の支柱４周りに形成された空間部を閉塞するための着脱可能な支柱カバー５と、から構成される。
【００１３】
前記４本の支柱４の下端を支持する下ベース３には、支柱支持ボルト１０が各支柱４に対して２本ずつ延びており、より詳しくは図４（ａ）のＢ−Ｂ線の断面図である図４（ｂ）に示される下ベース３のボルト孔３ａの下方からそれぞれ上方方向に向かって挿通される。前記支柱支持ボルト１０は図３に示される各支柱４の下端に設けられた雌ネジ部４ａとに螺合し、支柱４と下ベース３が着脱自在に固定される。
【００１４】
次に前記下ベース３に固定された４本の支柱４の上端には、前記下端に設けたれた雌ネジ部４ａと同様に４ｃが設けられており、４本の支柱４と上ベース１１を着脱自在に固定するために、上ベース支持ボルト１８が各支柱４に対して２本ずつ、図５に示されている上ベース連結ボルト孔１１ａから下方方向に向かって挿通され、各支柱４に設けられた前記雌ネジ部４ｃに螺合して固定される。
【００１５】
このようにして各支柱４に設けられた支柱ボルト溝４ｃと上ベース支持ボルト１８によって嵌合され固定された上ベース１１上に、天板２を載置するには、まず図５に示される上ベース１１の４箇所に設けられた天板連結ボルト孔１２ａを利用して、４本の天板連結ボルト１２をそれぞれ上ベース部材１１の下方から上方方向に向かって挿通し、図６（ｂ）に示されるように、天板２下面に形成された凹部である雌ネジ部２ａへ螺合することにより、上ベース１１と天板２とを強固に固定できることになる。
【００１６】
続いて、前記したように天板２には、その中央に天板貫通孔１３が開放されており、この天板貫通孔１３を図２、図６（ｂ）に示されるトップカバー８で閉鎖する。より詳しくは、天板孔貫通孔１３にトップカバー８を挿入するとこのトップカバー８の下端部８ｂが上ベース１１上面に当接するとともに、トップカバー８の端縁８ｃが天板貫通孔１３周辺の天板上面周端部２ｂに当接する。また図６（ｂ）に示されるようにトップカバー８の内側下面には凸部８ｄが形成されており、この凸部８ｄが図６（ｂ）と図５に示された上ベース１１の受孔１１ｂに嵌合し、トップカバー８が安定的に保持される。なお、８ａはトップカバー８の中央に形成された孔を閉塞するセンターキャップである。
【００１７】
また前記トップカバー８は、４部品（８１、８２、８３、８４）とセンターキャップ８ａとにそれぞれ分割されており、使用目的別にあわせて自由に着脱できるようになっている。
【００１８】
図６（ａ），（ｂ）に示される前記トップカバー８には、コンセント９等の配線装置を着脱可能に収納する収納口１５が示され、このコンセント９が収納口１５に収納される場合、収納口１５の入口に設けられた支持鈎１５ａに支持され、固定され落下が防止されるようになっている。
【００１９】
また前記トップカバー８のセンターキャップ８ａを取り外すことにより、支柱フレーム（図示せず）等の挿通部として利用できる。
【００２０】
このようにして立設されるテーブルに対して、支柱４には外側両端にそれぞれ２箇所ずつ鈎受部４ｂが設けられており、この鈎受部４ｂを利用して支柱４に支柱カバー５が被設されるようになっている。すなわち支持カバー５の両端に、前記支柱４の鈎受部４ｂに係合できる鈎部５ａが設けられており、これら支柱カバー５を支柱まわりに固定することによって、外方から見えないコード類の収納空間を形成できる。
【００２１】
このようにして組立てられた配線装置付テーブル１が図７に示され、トップカバー８に嵌設されたコンセント９が接続されている複数の電源コード１６が、天板貫通孔１３から上ベース１１の上ベース配線孔１４ａを通過し、４本の支柱４と支柱カバー５とで区画された空間部に案内されて、下ベース３に設けられた下ベース配線孔１４ｂへ通過し、下ベース３下部のに複数設けられた下ベース脚３ｂ間から引き出され、主電源へ配線されることとなる。
【００２２】
前記上ベース配線孔１４ａと下ベース配線孔１４ｂはそれぞれ４箇所に孔が設けられているが、コードの種類や本数、また天板２上で使用する機器の形態に応じて必要な孔を使用すればよく、使用しない孔は予備孔として備えられる。
【００２３】
本発明は、上記実施例に限定されるものではなく、種々の実施形態をとりえる。
【００２４】
図８（ａ）は本発明の第２実施例を示しており、天板２に上記配線装置付テーブルの２本の脚部が設けられたことにより、さらにスペースを広くできより多くの電源を確保できるため、例えば展示会場等で主催者側が多数の来客にテーブル上に複数載置されたパソコン等を利用させることができる。
【００２５】
図８（ｂ）は本発明の第３実施例を示しており、略くの字型の天板２の中央に上記配線装置付テーブル１の脚部が設けられ、左右に天板２を支持するための天板支持ポール１７が設置されることにより、例えばオフィスやパビリオン等の受付において、周囲の美観を損なうことなく、天板２中央に顧客管理等の各種データが保存されたパソコンを設置でき、受付事務を円滑に行うことが可能になる。
【００２６】
【発明の効果】
本発明によれば、次のような効果が得られる。
【００２７】
（ａ）請求項１に記載の発明によれば、複数の配線が前記の配線孔と貫通孔を上下に貫通して配線され、この上下に延びる配線が、前記支柱カバーによって覆われた３本以上の支柱から成る配線用の空間内に存在することになり、天板に設けられた貫通孔から下ベースまで一度も配線が外部から露出することがない。またテーブル脚が前記支柱と支柱カバーのみで構成されているため軽量なテーブルとなる。
【００２９】
（ｂ）請求項２に記載の発明によれば、トップカバーによって余分な配線を隠蔽できる。
【００３０】
（ｃ）請求項３に記載の発明によれば、必要な部分のみのトップカバーを外すだけで配線のメンテナンスができる。
【００３１】
（ｄ）請求項４に記載の発明によれば、トップカバーの収納口に配線装置を収納することにより、可能な限り余分な配線が露出しないようにできる。
【図面の簡単な説明】
【図１】本発明を適用した第１実施例の配線装置付テーブルの斜視図である。
【図２】図１の配線装置付テーブルを示す分解図である。
【図３】カバー部材に支柱が挟持された構造を示す断面拡大図である。
【図４】（ａ）  図１のＡ−Ａ線の断面図である。
（ｂ）  図４（ａ）のＢ−Ｂ線の断面図である。
【図５】上ベースの構造を示す平面図である。
【図６】（ａ）  トップカバーの構造を示す平面図である。
（ｂ）  図６（ａ）のＣ−Ｃ線の断面図である。
【図７】配線装置に接続されたコード類の収納構造が示された断面図である。
【図８】（ａ）  本発明を適用した第２実施例の配線装置付テーブルの斜視図である。
（ｂ）  本発明を適用した第３実施例の配線装置付テーブルの斜視図である。
【符号の説明】
１      配線装置付テーブル
２      天板
２ａ  雌ネジ部
２ｂ  天板上面周端部
３      下ベース
３ａ  ボルト孔
３ｂ  下ベース脚
４      支柱
４ａ，４ｃ  雌ネジ部
４ｂ  鈎受部
５      支柱カバー
５ａ  鈎部
６      椅子
７      パソコン
７ａ  電源プラグ
８      トップカバー
（８１，８２，８３，８４）  ４分割可能な各トップカバー
８ａ  センターキャップ
８ｂ  下端部
８ｃ  端縁
８ｄ  凸部
９      コンセント（配線装置）
１０    支柱支持ボルト
１１    上ベース
１１ａ  上ベース連結ボルト孔
１１ｂ  受孔
１２    天板連結ボルト
１２ａ  天板連結ボルト孔
１３    天板貫通孔
１４ａ  上ベース配線孔
１４ｂ  下ベース配線孔
１５    収納口
１５ａ  支持鈎
１６    電源コード
１７    天板支持ポール
１８    上ベース支持ボルト
【図１】
0004558920.tif 000002
【図２】
0004558920.tif 000003
【図３】
0004558920.tif 000004
【図４】
0004558920.tif 000005
【図５】
0004558920.tif 000006
【図６】
0004558920.tif 000007
【図７】
0004558920.tif 000008
【図８】
0004558920.tif 000009